(57)【要約】      （修正有）【課題】 どこにいても片手で簡単にティッシュペーパーを取り出すことができるマグネットシートホルダーを提供する。【解決手段】本マグネットシートホルダーはポケットティッシュを固定保持する方法として、「ポケットティッシュ袋背面にマグネット版を挿入して保持する方法」と「折りたたみ式プラスチックシートカバーで保持する方法」の二つの方法を同時に合わせ持っており、2つのパーツをビニールシートで接合し開閉式のちょう番構造とすることで、壁付けでも卓上設置でもどちらでもホルダーを自由に変形して使えるようにしている。そして、壁付けでも卓上設置でも片手でティッシュを簡単に引き抜き可能とした。（水平設置の場合は、ホルダーの重さで浮き上がらずに引き抜くことができる。）【選択図】図１
2005287592.tif 000002
【特許請求の範囲】
【請求項１】
‥‥（図7、8、9、10参照：完成形の多機能マグネットシートホルダー）
今回発明した完成形の「多機能マグネットシートホルダー」である。このホルダーは、まず、ネームプレート付きマグネットシート（1）を2枚、接合用硬質プラスチック板（5）により合わせて、これをひとつの「単独マグネットシートホルダー」とする。次にこの「単独マグネットシートホルダー」部分を、マグネット保持用硬質プラスチック板（2）の下面にスライドしてはめ込み、マグネット保持用硬質プラスチック板（2）の上面には、折りたたみ式プラスチックシートカバー（3）を取り付け、この「（1）+（2）+（3）」の部分を二つ、接合用軟質プラスチックシート（4）により接合し、ちょう番形式でホルダーを開閉できるようにする。これらの構造機能をまとめて、完成形の「多機能マグネットシートホルダー」としている。
【請求項２】
‥‥（図11-Ａ5参照：ネームプレート付の単独マグネットシートホルダー）
ネームプレート付きマグネットシート（1）を2枚、接合用硬質プラスチック板（5）により合わせて、これをひとつの「単独マグネットシートホルダー」としたもの。
【請求項３】
‥‥（図11-Ａ6参照：折りたたみ式プラスチックシートカバー付きの単独マグネットシートホルダー  ）
マグネット保持用硬質プラスチック板（2）の上面に、折りたたみ式プラスチックシートカバー（3）を取り付け、マグネット保持用硬質プラスチック板（2）の下面に「固定されたマグネットシート（Ａ1ｏｒＡ2）」、または「分離可能マグネットシート（Ａ1〜Ａ6）」を取り付けたマグネットシートホルダー。
【請求項４】
‥‥（図12-Ｂ1参照：開閉式マグネットシートホルダー1）
硬質プラスティック板に固定マグネットシートを取り付け、これらふたつを接合用軟質プラスチックシート（4）でつなぎ「開閉式マグネットシートホルダー」としたもの。
【請求項５】
‥‥（図12-Ｂ2参照：開閉式マグネットシートホルダー2）
マグネット保持用硬質プラスチック板（2）の下面に分離可能マグネットシートホルダーをとりつけ、これらふたつを接合用軟質プラスチックシート（4）でつなぎ「開閉式マグネットシートホルダー」としたもの。
【請求項６】
‥‥（図11-Ａ1参照：単独マグネットシートホルダー）
硬質プラスティック板にマグネットシートをとりつけたもの。
【請求項７】
‥‥（図11-Ａ2参照：単独マグネットシートホルダー）
硬質プラスティック板に半分の大きさのマグネットシートを2枚とりつけて、柔軟に曲げ変形できるようにしたもの。
【請求項８】
‥‥（図11-Ａ3参照：単独マグネットシートホルダー）
ネームプレート用のビニールシートにマグネットシートをとりつけたもの。
【請求項９】
‥‥（図11-Ａ4参照：単独マグネットシートホルダー）
ネームプレート用のビニールシートに、半分の大きさのマグネットシートを2枚とりつけて、柔軟に曲げ変形できるようにしたもの。
【発明の詳細な説明】
【技術分野】
【０００１】
本発明は、ポケットティッシュ専用の「固定保持用マグネットシートホルダー」に関するものである。このマグネットシートホルダーは、どこにいても（例えば、机・ロッカー廻りや車の中でも）片手で簡単にティッシュペーパーを取り出すことができ、かつ連続して2個（2袋）以上使用することができる。また、ホルダーを変形使用することで、「任意サイズのポケットティッシュや、多種袋構造のポケットティッシュ」も固定保持可能である。さらに、ホルダーのマグネットシートを使って鋼製面に取り付ける場合は、垂直壁面のみならず水平天井面や曲面等にも取り付け可能で、ホルダーパーツを分離して使用することもできる。このような多機能性を備えた「マグネットシートホルダー」に関するものである。（図1.総合図参照）
【背景技術】
【０００２】
従来、ポケットティッシュを机・ロッカー廻りや車の中で使用する場合、次のような方法があった。
・従来の方法1-1（図14.従来の方法１−１参照）・・・机・ロッカー廻り
「背面にマグネットを備えた、収納かご」にポケットティッシュを入れて、机・ロッカー等の鋼製面に取り付ける方法。（この方法は、従来の方法の中では最もシンプルでポピュラーな方法である。）
・従来の方法1-2（図14.従来の方法１−2参照）・・・机・ロッカー廻り
「ふた付きの収納箱」にポケットティッシュを入れて卓上設置する方法。
・従来の方法1-3（図14.従来の方法１−3参照）・・・机・ロッカー廻り
「背面にマグネットを備えた、ふた付きコンパクトケース」に収納して、机の鋼製面等に取り付ける方法。
・従来の方法1-4（図14.従来の方法１−4参照）・・・机・ロッカー廻り
「背面に吸盤を備えた、コの字型ケース」にポケットティッシュを入れて、壁面等に取り付ける方法。
・従来の方法1-5（図14.従来の方法１−5参照）・・・机・ロッカー廻り
ポケットティッシュの袋背面に「シール式両面テープ」を付けて、壁面等に取り付ける方法。
・従来の方法2-1（図15.従来の方法2−１参照）・・・車の中
ポケットティッシュの袋背面のビニール2重構造を利用した「袋背面保持クリップ」により、車内の日よけプレート等に取り付けて使用する方法。
・従来の方法2-2（図15.従来の方法2−2参照）・・・車の中
「背面に保持クリップを備えた収納ケース」により、車内の日よけプレート等に取り付けて使用する方法。
・従来の方法2-3（図15.従来の方法2−3参照）・・・車の中
ポケットティッシュの袋背面のビニール2重構造を利用した「袋背面保持プレート」によりポケットティッシュを保持して、吸盤を使って車内壁面に取り付けて使用する方法。
・従来の方法2-4（図15.従来の方法2−4参照）・・・車の中
「ポケットティッシュを片側から挿入できる収納ケース」を車内壁面にねじ止め固定して使用する方法。
・従来の方法2-5（図15.従来の方法2−5参照）・・・車の中
「ティッシュ置き台が上方へ移動する収納箱」を車内平面に置いて使用する方法。
【０００３】
しかし、これらの方法では、ティッシュペーパーを片手で簡単に取り出せない、取り付ける場所に制限がある、連続して2個（2袋）以上使用できない、固定保持できるポケットティッシュの種類や大きさに制限がある、吸盤等で取り付けた場合は保持が不安定である、どこへでも簡単に持ち運び移動して使えない等々の欠点、不便さがあった。
【０００４】
また、例えば日常的に、はやり風邪や花粉症に苦しむ営業マンやＯＬ達が、営業周りで忙しく車を運転しているとき、また、営業テレマ（テレホンマーケッチング）でオフィス机で忙しく電話をしているとき、上述の従来の方法でポケットティッシュを使っていたのでは「枚数の少ないティッシュを使い切ってすぐ取り替えられなかったり、どの場所（位置）でも片手で簡単にティッシュを取り出せない」という、忙しくて片手ふさがりのときにはたいへん不便であるという欠点があった。
【０００５】
これらの改善策として、今回発明した「多機能マグネットシートホルダ−」（同請求項1）を使用することで、これらの問題点をすべて解決し、どこでも片手で簡単にポケットティッシュを使うことができる。
【特許文献１】特開−2003-226380（ポケットティッシュ）
【特許文献２】特開−2001-231708（ポケットティッシュ）
【特許文献３】特開−2000-142839（ポケットティッシュ）
【特許文献４】特開−平09-301079（ポケットティッシュ）
【特許文献５】特許−2626871（ポケットティッシュ）
【特許文献６】特開−2000-110821（マグネットシート）
【特許文献７】特願−平8-231229（マグネットシート）
【特許文献８】実開−平06-076150（ポケットティッシュ）
【特許文献９】実開−平06-035182（ポケットティッシュ）
【特許文献１０】実登−3079990（ポケットティッシュ）
【特許文献１１】実公−平07-051501（ポケットティッシュ）
【発明の開示】
【発明が解決しようとする課題】
【０００６】
解決しようとする課題（問題点）は、以下に列挙する「種々の使用方法の欠点」である。
・欠点1：ポケットティッシュペーパーを片手で簡単に取り出せない。（従来の方法1-1、2-5の場合）
・欠点2：取り付け場所に制限がある。（従来の方法1-5の両面テープ方式以外は、すべてこの欠点がある。）
・欠点3：ポケットティッシュを即座に連続して2個（2袋）以上使用できない。（従来の方法1-3、1-4、2-1、2-2、2-3の場合）
・欠点4：固定保持できるポケットティッシュのサイズや袋の種類に制限がある。サイズが大きいと箱に入らなかったり、袋背面に挿入口がないと保持できない等。（従来の方法    1-2、1-3、2-1、2-2、2-3、2-4、2-5の場合）
・欠点5：オフィス机・ロッカー、車内等どこにでも簡単に移動して使えない。（従来の方法1-1、1-2、1-3、2-1、2-2、2-4、2-5の場合）
・欠点6：強く引いたときに保持が不安定である。（従来の方法1-4、1-5、2-3の場合）
・欠点7：卓上に置いたり壁面に取り付けたとき、取り付け具が大きいため場所をとりコンパクト性に欠ける。（従来の方法1-1、1-2、2-5の場合）
【課題を解決するための手段】
【０００７】
本発明は、ポケットティッシュを固定保持する方法として、「ポケットティッシュ袋背面にマグネット版を挿入して保持する方法」と「折りたたみ式プラスチックシートカバーで保持する方法」の二つの方法を同時に合わせ持っており（図1.総合図の取付け手順1〜6参照）、2つのパーツをビニールシートで接合し開閉式のちょう番構造とすることで、壁付けでも卓上設置でもどちらでもホルダーを自由に変形して使えるようにしている。そして、壁付けでも卓上設置でもどちらでも片手でティッシュを引き抜き可能である。（水平設置の場合は、ホルダーの重さで浮き上がらずに引き抜くことができる。）
【０００８】
以下、今回発明した「多機能マグネットシートホルダー」の基本構造を、詳細図に従って詳述する。（図8.ホルダー詳細図2（ホルダーを開いたとき）を参照）。本発明は、ネームプレート付きマグネットシート（1）を2枚、接合用硬質プラスチック板（5）により合わせて、これをひとつの「単独マグネットシートホルダー」とする。次にこの「単独マグネットシートホルダー」部分を、マグネット保持用硬質プラスチック板（2）の下面にスライドしてはめ込み、マグネット保持用硬質プラスチック板（2）の上面には、折りたたみ式プラスチックシートカバー（3）を取り付け、この「（1）+（2）+（3）」の部分を二つ、接合用軟質プラスチックシート（4）により接合し、ちょう番形式でホルダーを開閉できるようにしている。（なお、このホルダーの詳細図は図7〜図10を、ホルダーの変形パターンは図4〜図6を、ホルダーの基本構造概念は図11、図12を参照のこと）。
【発明の効果】
【０００９】
本発明の「多機能マグネットシートホルダー」を使用した場合の主な利点は、鋼製壁面に取り付けた場合でも卓上に置いた場合でも片手で簡単にティッシュを引き抜くことができる（卓上設置の場合はホルダーの重さで浮き上がることなくティッシュペーパーを片手で簡単に引き抜ける）、ティッシュがなくなってもすぐに次のひとつを使える（卓上設置の場合はホルダーを反転させてすぐに2個目が使える）、また、机廻りだけでなくロッカーや車内へ簡単に持ち運んで使うこともできる（図2、図3参照）ことである。さらに、折りたたみ式プラスチックシートカバーを使用する場合は、取り付けるポケットティッシュの袋構造に制限がなく、また袋表面の広告を隠して使うこともできる。マグネットシートは分離して単独使用することもでき、さらにこれを分解してネームプレートとしても使える。このように、多くの付加機能を備えていることも、今回の発明の特徴である。
【発明を実施するための最良の形態】
【００１０】
本発明の最良の実施の形態は、請求項1に示した「多機能マグネットシートホルダー」（詳細図7〜10参照）を使用した場合であり、これを利用する場合は、通常2個のポケットティッシュを保持し、折りたたみ式プラスチックシートカバー（3）を開くことで、この部分にポケットティッシュを2個まで保持でき、マグネット保持用硬質プラスチック板（2）の下
面にある「単独マグネットシートホルダー｛（1）×2個+（5）｝」を分離して単独使用することでさらにもうひとつのポケットティッシュを保持できるので、最大で合計4個のポケットティッシュを自由な位置で片手で使うことができる。（図1の机引出し手前に取り付けた例や図2の鏡下に取り付けた例がこれに該当する。）
【実施例１】
【００１１】
（机廻りに取り付けた例）
図1（総合図）は、今回発明した「多機能マグネットホルダー」の机廻りでの基本的取り付け例である。下には、ポケットティッシュの取り付け手順（1〜6）を示した。なお、このホルダーの「整理した取り付けパターン6種」を図13に示した。
【実施例２】
【００１２】
（ロッカー廻りに取り付けた例）
図2（ロッカー廻り取付け例）は、ロッカーの内側側面、天井角面に取り付けた例である。
【実施例３】
【００１３】
（車内に取り付けた例）
図3（車内での取付け例）は、シート等の平面設置する方法に加えて、シート上部に吊り下げる方法（ホルダー付属品１を利用：図13の1-5参照）、ドリンクホルダー上部に取り付ける方法（ホルダー付属品2を利用：図13の1-6参照）も新しく開発している。
【産業上の利用可能性】
【００１４】
日常生活の中で、例えば、オフィス机で忙しく電話をしているとき、ロッカーの鏡手前でＯＬが化粧直しをしているとき、または、忙しくハンドルをつかんで車を走らせているとき等、片手がふさがっているときでも、このホルダーは即座にティッシュを利用することがで
きる。また、このホルダーはどこでも持ち運んで使えるので、例えば停車している車の外部
表面（曲面）に取り付けたり、家ではキッチンの冷蔵庫や洗濯機の表面に取り付けて使うこともでき、従来にあった問題点をすべて解決して広範囲の場所で利用できるのである。
【図面の簡単な説明】
【００１５】
【図１】総合図（机面の取付け例とポケットティッシュ取付け手順1〜6）今回発明した「多機能マグネットホルダー」の机廻りでの基本的取り付け例である。下には、ポケットティッシュの取り付け手順（1〜6）を示した。なお、今回のホルダー（請求項1）の詳細図は、図7〜図10に詳しく示している。
【図２】ロッカー廻りでの取り付け例
【図３】車内での取り付け例
【図４】ホルダー変形パターンの図1（ホルダー裏面）
【図５】ホルダー変形パターンの図2（ホルダー表面）
【図６】ホルダー変形パターンの図3（分離マグネットシート部分）
【図７】ホルダー詳細図1（ホルダーを閉じたとき）ホルダーを閉じたときの斜視図、上面図、側面図、部分詳細図である。
【図８】ホルダー詳細図2（ホルダーを開いたとき）ホルダーを開いたときの斜視図、上面図、下面図、側面図である。
【図９】ホルダー詳細図3（折りたたみ式プラスチックシートカバー部分）折りたたみ式プラスチックシートカバー部分の斜視図、上面図、側面図である。
【図１０】ホルダー詳細図4（分離マグネットシート部分）分離マグネットシート部分の上面図、側面図、裏面図である。
【図１１】ホルダーの基本構造概念図1（Ａ1〜Ａ6）‥各寸法は完成型マグネットシートホルダーの各パーツ標準寸法に同じ。
【図１２】ホルダーの基本構造概念図2（Ｂ1、Ｂ2、Ｃ1〜Ｃ6）‥各寸法は完成型マグネットシートホルダーの各パーツ標準寸法に同じ。
【図１３】今回発明したホルダーの基本的取付け使用方法（1〜6）‥‥机・ロッカー廻り、車内
【図１４】従来の取り付け方法1（1-1〜1-5）‥‥机・ロッカー廻り
【図１５】従来の取り付け方法2（2-1〜2-5）‥‥車内
【符号の説明】
【００１６】
以下の符号は主に「図7、8.詳細図」で表記している.
1. ネームプレート付きマグネットシート 
2. マグネット保持用硬質プラスチック板
3. 折りたたみ式プラスチックシートカバー
4. 接合用軟質プラスチックシート
5. 接合用硬質プラスチック板
【図１】
2005287592.tif 000003
【図２】
2005287592.tif 000004
【図３】
2005287592.tif 000005
【図４】
2005287592.tif 000006
【図５】
2005287592.tif 000007
【図６】
2005287592.tif 000008
【図７】
2005287592.tif 000009
【図８】
2005287592.tif 000010
【図９】
2005287592.tif 000011
【図１０】
2005287592.tif 000012
【図１１】
2005287592.tif 000013
【図１２】
2005287592.tif 000014
【図１３】
2005287592.tif 000015
【図１４】
2005287592.tif 000016
【図１５】
2005287592.tif 000017
【手続補正書】
【提出日】平成16年3月31日(2004.3.31)
【手続補正１】
【補正対象書類名】特許請求の範囲
【補正対象項目名】全文
【補正方法】変更
【補正の内容】
【特許請求の範囲】
【請求項１】
‥‥（図7、8、9、10参照：完成形の多機能マグネットシートホルダー）
今回発明した完成形の「多機能マグネットシートホルダー」である。このホルダーは、まず、ネームプレート付きマグネットシート（1）を2枚、接合用硬質プラスチック板（5）により合わせて、これをひとつの「単独マグネットシートホルダー」とする。次にこの「単独マグネットシートホルダー」部分を、マグネット保持用硬質プラスチック板（2）の下面にスライドしてはめ込み、マグネット保持用硬質プラスチック板（2）の上面には、折りたたみ式プラスチックシートカバー（3）を取り付け、この「（1）+（2）+（3）」の部分を二つ、接合用軟質プラスチックシート（4）により接合し、ちょう番形式でホルダーを開閉できるようにする。これらの構造機能をまとめて、完成形の「多機能マグネットシートホルダー」としている。
【請求項２】
‥‥（図11-Ａ5参照：ネームプレート付の単独マグネットシートホルダー）
ネームプレート付きマグネットシート（1）を2枚、接合用硬質プラスチック板（5）により合わせて、これをひとつの「単独マグネットシートホルダー」としたもの。
【請求項３】
‥‥（図11-Ａ6参照：折りたたみ式プラスチックシートカバー付きの単独マグネットシートホルダー  ）
マグネット保持用硬質プラスチック板（2）の上面に、折りたたみ式プラスチックシートカバー（3）を取り付け、マグネット保持用硬質プラスチック板（2）の下面に「固定されたマグネットシート（Ａ1ｏｒＡ2）」、または「分離可能マグネットシート（Ａ1〜Ａ6）」を取り付けたマグネットシートホルダー。
【請求項４】
‥‥（図12-Ｂ1参照：開閉式マグネットシートホルダー1）
硬質プラスティック板に固定マグネットシートを取り付け、これらふたつを接合用軟質プラスチックシート（4）でつなぎ「開閉式マグネットシートホルダー」としたもの。
【請求項５】
‥‥（図12-Ｂ2参照：開閉式マグネットシートホルダー2）
マグネット保持用硬質プラスチック板（2）の下面に分離可能マグネットシートホルダーをとりつけ、これらふたつを接合用軟質プラスチックシート（4）でつなぎ「開閉式マグネットシートホルダー」としたもの。
【請求項６】
‥‥（図11-Ａ1参照：単独マグネットシートホルダー）
硬質プラスティック板にマグネットシートをとりつけたもの。
【請求項７】
‥‥（図11-Ａ2参照：単独マグネットシートホルダー）
硬質プラスティック板に半分の大きさのマグネットシートを2枚とりつけて、柔軟に曲げ変形できるようにしたもの。
【請求項８】
‥‥（図11-Ａ3参照：単独マグネットシートホルダー）
ネームプレート用のビニールシートにマグネットシートをとりつけたもの。
【請求項９】
‥‥（図11-Ａ4参照：単独マグネットシートホルダー）
ネームプレート用のビニールシートに、半分の大きさのマグネットシートを2枚とりつけて、柔軟に曲げ変形できるようにしたもの。
【請求項１０】
‥‥（図12-Ｃ1、図12-Ｂ2+図11-Ａ2  参照：開閉式マグネットシートホルダー）
図12-Ｂ2の開閉式マグネットシートホルダーに、図11-Ａ2の機能を加えたもの。
【請求項１１】
‥‥（図12-Ｃ2、図12-Ｂ2+図11-Ａ3  参照：開閉式マグネットシートホルダー）
図12-Ｂ2の開閉式マグネットシートホルダーに、図11-Ａ3の機能を加えたもの。
【請求項１２】
‥‥（図12-Ｃ3、図12-Ｂ2+図11-Ａ4  参照：開閉式マグネットシートホルダー）
図12-Ｂ2の開閉式マグネットシートホルダーに、図11-Ａ4の機能を加えたもの。
【請求項１３】
‥‥（図12-Ｃ4、図12-Ｂ2+図11-Ａ5  参照：開閉式マグネットシートホルダー）
図12-Ｂ2の開閉式マグネットシートホルダーに、図11-Ａ5の機能を加えたもの。
【請求項１４】
‥‥（図12-Ｃ5、図12-Ｂ1+図11-Ａ6  参照：開閉式マグネットシートホルダー）
図12-Ｂ1の開閉式マグネットシートホルダーに、図11-Ａ6の機能を加えたもの。
【請求項１５】
‥‥（図13-方法5参照：ホルダー付属品１）
車シート上部に「請求項１のホルダー」を吊り下げられるようにした、ひも状吊り下げ具。
【請求項１６】
‥‥（図13-方法6参照：ホルダー付属品2）
車内ドリンクホルダー上部に設置して、その上に「請求項１のホルダー」等をおけるようにして、180度左右自由に回転して手を届きやすくした、台状設置具。
【請求項１７】
‥‥（図9参照：袋開口ストッパー付カバー）
ポケットティッシュの袋取り出し口を、かぎ状ストッパーで引っ掛けて、口を常時半開き状態にしてティッシュペーパーを取り出しやすくするための、袋開口ストッパー付カバー。